(57)【要約】【課題】様々な態様の配管構造に使用できる配管継手を提供する。【解決手段】この発明の配管継手１００は、取付面に取り付けられる下カバー部１１０と、この下カバー部１１０を覆うように装着される上カバー部１２０と、配管を挿通するための４個の側面開口部１３１〜１３４とを備える。下カバー部１１０は、４個のガイド部材１１５ａ〜１１５ｄと、３個の側面開口部１３２〜１３４を塞ぐための側面板部１１８ａ〜１１８ｃとを備える。側面板部１１８ａ〜１１８ｃは、連結片１１９ａで下カバー本体１１１に連結されると共に、連結片１１９ｂでガイド部材１１５ａ〜１１５ｄに連結されている。側面板部１１８ａ〜１１８ｃは、これらの連結片１１９ａ，１１９ｂを切断することによって、下カバー部１１０から取り外すことができる。【選択図】  図２
2015021542.tif 000002
【特許請求の範囲】
【請求項１】
取付面に取り付けられる下カバー部と、
前記下カバー部に装着されて、該下カバー部を覆う上カバー部と、
配管を挿通するために設けられた側面開口部と、
を備える配管用継手であって、
前記下カバー部は、
前記取付面に当接させて固定される下カバー本体と、
該下カバー本体から垂直方向に延設されて前記側面開口部を塞ぐ、取り外し可能な側面板部と、
を有することを特徴とする配管継手。
【請求項２】
前記下カバー部は、
前記取付面に形成された配管孔と連通させるために該下カバー本体に形成された背面開口部と、
該背面開口部を塞ぐように設けられた、取り外し可能な背面板部と、
を更に備えることを特徴とする請求項１に記載の配管継手。
【請求項３】
前記下カバー部は、
前記下カバー本体と前記側面板部とが、連結片で連結された状態で、一体に形成されており、
前記連結片を切断することにより、前記側面板部が取り外される、
ことを特徴とする請求項１又は２に記載の配管継手。
【請求項４】
前記側面板部が、着脱可能に設けられたことを特徴とする請求項１又は２に記載の配管継手。
【請求項５】
前記下カバー部は、前記下カバー本体から垂直方向に延設されたガイド部材と、該ガイド部材の下端部に形成された第１の嵌合部とを備え、
前記上カバー部は、前記ガイド部材に案内されて前記下カバー部へ装着されるときに前記第１の嵌合部に嵌合される第２の嵌合部を備える、
ことを特徴とする請求項１乃至４のいずれかに記載の配管継手。
【請求項６】
略立方体に形成され、
該立方体の四側面に対応して、それぞれ前記側面開口部が形成され、
これら四個の該側面開口部のうちの三個に対応して、前記側面板部が形成された、
ことを特徴とする請求項１乃至５の何れかに記載の配管継手。
【発明の詳細な説明】
【技術分野】
【０００１】
この発明は、家屋の壁等に配管構造を施設する為に使用される、配管継手に関する。この発明は、例えば、空調用の冷媒管やドレン管等の配管に適用して、好適である。
【背景技術】
【０００２】
従来の配管継手としては、例えば、下記特許文献１に記載されたものが知られている。特許文献１の例（特許文献１の第８図参照）では、家屋の室内に２台の室内機が設置されると共に、屋外には１台の室外機が設置されている。また、家屋の壁には、各室内機に対応させて、２個の配管孔が形成されている。そして、家屋の外壁面には、これらの配管孔と連通するように、二系統の配管が設けられている。これら二系統の配管は、配管継手によって１系統にまとめられて、室外機に導かれている。
【先行技術文献】
【特許文献】
【０００３】
【特許文献１】実開昭６２−９６１９６号公報
【発明の概要】
【発明が解決しようとする課題】
【０００４】
上記特許文献１の配管構造では、室内機の台数と同数の配管孔を家屋の壁に設ける必要があるので、配管工事の労力や費用が高くなる場合がある。従って、複数の室内機の配管を屋内で一系統にまとめて、１個の配管孔から屋外に導きたい場合がある。
【０００５】
その一方で、上記特許文献１の配管構造のように、家屋の部屋毎に配線孔を設けて室内機の配管を通し、屋外で１系統にまとめたいような場合も多い。
【０００６】
このように、空調機等の配管構造は、屋内配管・屋外配管の区別や、家屋の構造や、室内機の設置位置等の、様々な条件に応じて、適宜決定されるのが一般的である。
【０００７】
このような様々な態様の配管構造において、配管工事の費用を低く抑えるためには、配管継手を共通化することが望ましい。
【０００８】
この発明の課題は、様々な態様の配管構造に使用することができ、これにより配管工事の費用を低減することができる、配管継手を提供することにある。
【課題を解決するための手段】
【０００９】
かかる目的を達成するため、請求項１に記載の発明は、取付面に取り付けられる下カバー部と、前記下カバー部に装着されて、該下カバー部を覆う上カバー部と、配管を挿通するために設けられた側面開口部とを備える配管用継手であって、前記下カバー部は、前記取付面に当接させて固定される下カバー本体と、該下カバー本体から垂直方向に延設されて前記側面開口部を塞ぐ、取り外し可能な側面板部とを有することを特徴とする。
【００１０】
また、請求項２に記載の発明は、請求項１に記載の構成に加え、前記下カバー部は、前記取付面に形成された配管孔と連通させるために該下カバー本体に形成された背面開口部と、該背面開口部を塞ぐように設けられた、取り外し可能な背面板部とを更に備えることを特徴とする。
【００１１】
また、請求項３に記載の発明は、請求項１又は２に記載の構成に加え、前記下カバー部は、前記下カバー本体と前記側面板部とが、連結片で連結された状態で、一体に形成されており、前記連結片を切断することにより、前記側面板部が取り外されることを特徴とする。
【００１２】
また、請求項４に記載の発明は、請求項１又は２に記載の構成に加え、前記側面板部が、着脱可能に設けられたことを特徴とする。
【００１３】
また、請求項５に記載の発明は、請求項１乃至４の何れかに記載の構成に加え、前記下カバー部は、前記下カバー本体から垂直方向に延設されたガイド部材と、該ガイド部材の下端部に形成された第１の嵌合部とを備え、前記上カバー部は、前記ガイド部材に案内されて前記下カバー部へ装着されるときに前記第１の嵌合部に嵌合される第２の嵌合部を備えることを特徴とする。
【００１４】
また、請求項６に記載の発明は、請求項１又は５の何れかに記載の構成に加え、略立方体に形成され、該立方体の四側面に対応して、それぞれ前記側面開口部が形成され、これら四個の該側面開口部のうちの三個に対応して、前記側面板部が形成されたことを特徴とする。
【発明の効果】
【００１５】
請求項１の発明によれば、配管継手に側面開口部を形成すると共に、該側面開口部を塞ぐ側面板部を取り外し可能に設けたので、様々な態様の配管構造に使用することができ、また、配管構造の外観を良好なものにすることができる。
【００１６】
請求項２の発明によれば、配管継手の下カバー本体に背面開口部を形成することにしたので、必要に応じ、複数系統の配管を配管継手で一系統にまとめて、そのまま１個の配管孔に挿通することができる。
【００１７】
請求項３の発明によれば、連結片を切断するだけで側面板部を取り外すことができるので、取り扱いが容易であると共に、配管継手の構造が簡単で安価に製造できる。
【００１８】
請求項４の発明によれば、背面板部を着脱自在としたので、配管継手の取り扱いが容易になる。
【００１９】
請求項５の発明によれば、下カバー部に差し込むだけで上カバー部を装着できるので、配管工事の労力を低減することができる。
【００２０】
請求項６の発明によれば、配管継手の四側面にそれぞれ側面開口部を設け、そのうちの三個の側面開口部に側面板部を設けることとしたので、所望の側面板部を取り外すことにより、様々な態様の配管構造に使用することができる。
【図面の簡単な説明】
【００２１】
【図１】この発明の実施の形態１に係る配管継手の全体構成を概略的に示す斜視図である。
【図２】この発明の実施の形態１に係る配管継手の全体構成を概略的に示す分解斜視図である。
【図３】この発明の実施の形態１に係る配管継手の下カバー部の構成を概略的に示す平面図である。
【図４】この発明の実施の形態１に係る配管継手の装着機構の構成を概略的に示す部分断面図である。
【図５】この発明の実施の形態１に係る配管継手の使用方法の一例を説明するための分解斜視図である。
【図６】この発明の実施の形態１に係る配管継手の使用方法の他の例を説明するための分解斜視図である。
【図７】この発明の実施の形態１に係る配管継手を用いた配管構造の一例を示す図であり、（ａ）は分解斜視図、（ｂ）は完成状態の斜視図である。
【図８】この発明の実施の形態１に係る配管継手を用いた配管構造の他の例を示す図であり、（ａ）は分解斜視図、（ｂ）は完成状態の斜視図である。
【発明を実施するための形態】
【００２２】
以下、この発明の実施の形態１について、図１乃至図８を用いて説明する。
【００２３】
図１乃至図４は、この実施の形態１に係る配管継手の構成を示す概略図であり、図１は全体構成を示す斜視図、図２は全体構成を示す分解斜視図、図３は下カバー部の構成を示す平面図、図４は装着機構の構成を示す部分断面図である。
【００２４】
図１及び図２に示すように、この実施の形態１に係る配管継手１００は、平面視が略立方体を呈しており、下カバー部１１０と上カバー部１２０とを備えている。下カバー部１１０及び上カバー部１２０は、例えば樹脂で形成することができる。配管継手１００の各側面には、側面開口部１３１，１３２，１３３，１３４が形成されている。
【００２５】
下カバー部１１０は、例えば家屋の内壁等の取付面（図示せず）に取り付け固定される。
【００２６】
この下カバー部１１０は、下カバー本体１１１を備えている。この下カバー本体１１１は、図３等に示したような、ねじ孔１１１ａ，１１１ｂ，１１１ｃ，１１１ｄを用いて、取付面にねじ止めされる。
【００２７】
下カバー本体１１１には、図２等に示したように、背面開口部１１２が形成されている。この背面開口部１１２は、後述するように、配管継手１００を取付面の配管孔（図示せず）と連通させる場合に使用される。
【００２８】
また、下カバー部１１０は、背面板部１１３を備えている。この背面板部１１３は、背面開口部１１２を塞ぐように配置されている。この背面板部１１３には、ねじ孔１１３ａ，１１３ｂ，１１３ｃが形成されている。
【００２９】
背面板部１１３は、複数（ここでは８個）の連結片１１４を用いて背面開口部１１２の外縁部に支持された状態で、下カバー本体１１１と一体形成されている。このため、背面板部１１３は、これらの連結片１１４を例えばニッパー等で切断することにより、下カバー部１１０から取り外すことができる。
【００３０】
図２及び図３に示したように、下カバー本体１１１からは、ガイド部材１１５ａ，１１５ｂ，１１５ｃ，１１５ｄが、垂直方向に延設されている。
【００３１】
これらガイド部材１１５ａ〜１１５ｄの下端部には、「第１の嵌合部」としての係合凸部１１６ａ，１１６ｂ，１１６ｃ，１１６ｄが形成されている。後述するように、これらガイド部材１１５ａ〜１１５ｄ及び係合凸部１１６ａ〜１１６ｄは、上カバー部１２０を下カバー部１１０に装着するために使用される。
【００３２】
また、これらガイド部材１１５ａ〜１１５ｄの上端部には、突起部１１７ａ，１１７ｂ，１１７ｃ，１１７ｄが形成されている。後述するように、これら突起部１１７ａ〜１１７ｄは、上カバー部１２０を下カバー部１１０に装着するときに、該上カバー部１２０の空洞部１２４ａ，１２４ｂ，１２４ｃ，１２４ｄ（図４等参照）に嵌合される。
【００３３】
更に、下カバー部１１０は、３個の側面板部１１８ａ，１１８ｂ，１１８ｃを備えている。これら側面板部１１８ａ〜１１８ｃは、下カバー部１１０の４辺の内の３辺から垂直方向に延設されている。これにより、図１等に示したように、４個の側面開口部１３１〜１３４の内の３個の側面開口部１３２〜１３４が、側面板部１１８ａ〜１１８ｃによって塞がれる。
【００３４】
これら側面板部１１８ａ〜１１８ｃは、複数の連結片（ここでは、下端部両側の２個ずつの連結片１１９ａと、下端部中央付近の１個ずつの連結片１１９ａ’）を用いて下カバー本体１１１の外縁部に支持されると共に、複数（ここでは２個ずつ）の連結片１１９ｂを用いてガイド部材１１５ａ〜１１５ｄの側面に支持されている。この実施の形態１では、側面板部１１８ａ〜１１８ｃ及び連結片１１９ａ，１１９’，１１９ｂは、下カバー本体１１１及びガイド部材１１５ａ〜１１５ｄと一体に形成されている。このため、側面板部１１８ａ〜１１８ｃは、これらの連結片１１９ａ，１１９’，１１９ｂを例えばニッパー等で切断することにより、下カバー部１１０から取り外すことができる。
【００３５】
配管継手１００を使用する場合、４個の側面開口部１３２〜１３４の内の少なくとも１個は必ず使用される。このため、この実施の形態１では、側面開口部１３１を、側面板部で塞がないこととした。これにより、配管工事での、側面板部を取り外す労力を軽減することができる。但し、４個の側面開口部１３２〜１３４の全てを側面板部で塞いでもよいことは、もちろんである。
【００３６】
上カバー部１２０は、下カバー部１１０に装着されて下カバー本体１１１を覆うように、構成される。上カバー部１２０を下カバー部１１０に装着したとき、配管継手１００は略立方形状を呈する。
【００３７】
図４に示したように、上カバー部１２０の四隅部分には、空洞部１２４ａ〜１２４ｄが設けられている。これら空洞部１２４ａ〜１２４ｄには、上カバー部１２０を下カバー部１１０に装着したときに、ガイド部材１１５ａ〜１１５ｄ上端の突起部１１７ａ〜１１７ｄが嵌入される。
【００３８】
加えて、図４に示したように、上カバー部１２０は、「第２の嵌合部」としての係合凹部１２５ａ，１２５ｂ，１２５ｃ，１２５ｄを備えている。これら係合凹部１２５ａ〜１２５ｄは、上カバー部１２０を下カバー部１１０に装着したときに、係合凸部１１６ａ〜１１６ｄと係合するように形成される。
【００３９】
このような構成において、上カバー部１２０を下カバー部１１０に装着する際には、まず、この上カバー部１２０を、ガイド部材１１５ａ〜１１５ｄに案内させながら、下カバー部１１０に嵌め込む。このとき、空洞部１２４ａ〜１２４ｄが突起部１１７ａ〜１１７ｄに嵌合することで、上カバー部１２０の位置合わせが行われる。そして、係合凹部１２５ａ〜１２５ｄが係合凸部１１６ａ〜１１６ｄと係合することで、上カバー部１２０が下カバー部１１０に保持されるようになる（図４参照）。
【００４０】
次に、この実施の形態１に係る配管継手１００の使用方法について、図５乃至図８を用いて説明する。
【００４１】
図５及び図７は、背面開口部１１２を介して配管継手１００を取付面５００の配管孔５０１に連通させる場合を示している。
【００４２】
配管孔５０１を使用する場合には、まず、下カバー部１１０から、背面板部１１３を取り外す。これにより、下カバー部１１０に、背面開口部１１２が形成される（図５参照）。
【００４３】
更に、側面板部１１８ａ〜１１８ｄの何れか一つ以上を取り外す。取り外される側面板部は、使用される配管カバーの位置関係や本数に応じて決定される。図５及び図７の例では、側面開口部１３２〜１３４の内、対向する２個の側面開口部１３１，１３３を用いて、二本の配管カバー５１０，５２０を連結する。ここで、側面開行部１３１は、元々、側面板部で塞がれていない。従って、この例では、側面板部１１８ｂのみを取り外す。
【００４４】
そして、この下カバー部１１０が、取付面５００に取り付けられる（図７（ａ）参照）。このとき、下カバー部１１０は、背面開口部１１２の外縁と配管孔５０１の外縁とが同心円を成すように、位置決めされる。下カバー部１１０は、例えばネジ等で、取付面５００に固定される。
【００４５】
次に、配管継手１００のの側面開口部１３１，１３３（図２等参照）に合わせて、取付面５００に、配管カバー５１０，５２０のベース部材５１１，５２１を固定する。この固定も、例えばネジ等を用いて行う。
【００４６】
続いて、背面開口部１１２、配管孔５０１、ベース部材５１１，５２１等を用いて、配管５４０，５５０を配設する。図７（ａ）に示したように、これらの配管５４０，５５０は、背面開口部１１２及び配管孔５０１を介して、取付面（ここでは内壁面）５００から外壁面（図示せず）に延設される。例えば空調機の場合、これらの配管５４０，５５０は、冷媒管ペア、電線及びドレンホースである。
【００４７】
その後、ベース部材５１１，５２１に蓋部材５１２，５２２を装着する。これにより、配管カバー５１０，５２０が組み立てられた状態になる。
【００４８】
そして、下カバー部１１０に上カバー部１２０を装着することで、配管継手１００が組み立てられて、配管構造が完成する（図７（ｂ）参照）。
【００４９】
図６及び図８は、背面開口部１１２を使用しない場合を示している。
【００５０】
背面開行部１１２を使用しない場合、まず、側面板部１１８ａ〜１１８ｄの何れか一つ以上を取り外す。図６及び図８の例では、側面開口部１３１〜１３４の内、３個の側面開口部１３１，１３２，１３４を用いて、Ｔ字状に配置された三本の配管カバー５１０，５２０，５３０を連結する。この実施の形態１では、側面開口部１３１は元々側面板部で塞がれていないので、側面板部１１８ａ，１１８ｃを取り外す。なお、この例では背面開口部１１２を使用しないので、背面板部１１３は、下カバー部１１０から取り外されずに、そのまま使用される。
【００５１】
次に、下カバー部１１０が、取付面５００に取り付けられる（図８（ａ）参照）。このとき、下カバー部１１０の位置合わせをするためには、例えば、予め取付面５００に印５０２を付けておき、この印５０２の位置にねじ孔１１３ａを一致させれば良い。上記図５及び図７の例と同様、下カバー部１１０は、例えばネジ等で、取付面５００に固定される。
【００５２】
そして、側面開口部１３１，１３２，１３４（図２等参照）に合わせて、取付面５００に、配管カバー５１０，５２０，５３０のベース部材５１１，５２１，５３１を固定する。この固定も、例えばネジ等を用いて行う。
【００５３】
続いて、ベース部材５１１，５２１，５３１を用いて、配管５４０，５５０を配設する（図８（ａ）参照）。
【００５４】
その後、ベース部材５１１，５２１，５３１に蓋部材５１２，５２２，５３２を装着する。これにより、配管カバー５１０，５２０，５３０が組み立てられた状態になる。
【００５５】
そして、下カバー部１１０に上カバー部１２０を装着することで、配管継手１００が組み立てられて、配管構造が完成する（図８（ｂ）参照）。
【００５６】
以上説明したように、この実施の形態１によれば、配管継手１００に４個の側面開口部１３１〜１３４を形成すると共に、側面開口部１３２〜１３４を塞ぐ３個の側面板部１１８ａ〜１１８ｃを取り外し可能に設けたので、様々な態様の配管構造に使用することができると共に、配管構造の外観を良好なものにすることができる。
【００５７】
また、この実施の形態１によれば、配管継手１００の下カバー本体１１１に背面開口部１１３を形成することにしたので、必要に応じ、複数系統の配管を配管継手１００で一系統にまとめて、そのまま１個の配管孔５０１に挿通することができる。
【００５８】
この実施の形態１によれば、連結片１１９ａ，１１９ｂを切断するだけで側面板部１１８ａ〜１１８ｃを取り外すことができるので、取り扱いが容易であると共に、配管継手１００の構造が簡単で、安価に製造できる。
【００５９】
同様に、連結片１１４を切断するだけで背面板部１１３を取り外すことができるので、取り扱いが容易であると共に、配管継手１００の構造が簡単で、安価に製造できる。
【００６０】
この実施の形態１によれば、下カバー部１１０に差し込むだけで上カバー部１２０を装着できるので、配管工事の労力を低減することができる。
【００６１】
更に、側面開口部１３１を側面板部で塞がないこととしたので、上述のような理由から、配管工事の労力を軽減することができる。
【００６２】
この実施の形態１では、この発明について、空調機の屋内配管に適用する場合を例に採って説明したが、この発明が空調機以外の配管や屋外配管等にも適用できることは、もちろんである。
【００６３】
なお、この実施の形態１では、配管継手１００に背面板部１１３を一体形成する場合を例に採って説明したが、例えば虫の浸入等や取り付け強度等が問題にならない場合や、配管継手の取付強度や配管継手自体の強度が問題にならない場合には、元々背面板部１１３を備えていない配管継手を用いても良い。
【００６４】
また、背面板部１１３や側面板部１１８ａ〜１１８ｃは、下カバー部１１０から取り外せるように形成されていれば、他の形成方法を用いても良い。例えば、背面板部を、環状の薄肉部分に連結された状態で下カバー本体１１１と一体形成し、この薄肉部分をナイフ等で切開することにより、背面開口部１１２が得られるようにしてもよい。
【００６５】
更に、背面開口部１１２は円形である必要は無く、例えば多角形等でも良い。一方、側面開口部１３１〜１３４の形状は、配管カバー５１０〜５３０の断面形状と略同一でありさえすれば、他の形状でも良い。
【００６６】
また、例えば、側面板部１１３や側面板部１１８ａ〜１１８ｃをねじ込み蓋式や係止式等に形成して、下カバー部１１０に着脱できるようにしても良い。この場合には、背面板部を簡単に取り外すことができる。
【符号の説明】
【００６７】
１００  配管継手
１１０  下カバー部
１１１  下カバー本体
１１１ａ，１１１ｂ，１１１ｃ，１１３ａ  ねじ孔
１１２  背面開口部
１１３  背面板部
１１４，１１９ａ，１１９ｂ  連結片
１１５ａ，１１５ｂ，１１５ｃ，１１５ｄ  ガイド部材
１１６ａ，１１６ｂ，１１６ｃ，１１６ｄ  係合凸部
１１７ａ，１１７ｂ，１１７ｃ，１１７ｄ  突起部
１１８ａ，１１８ｂ，１１８ｃ  側面板部
１２０  上カバー部
１２４ａ，１２４ｂ，１２４ｃ，１２４ｄ  空洞部
１２５ａ，１２５ｂ，１２５ｃ，１２５ｄ  係合凹部
１３１，１３２，１３３，１３４  側面開口部
５００  取付面
５１０，５２０，５３０  配管カバー
５１１，５２１，５３１  ベース部材
５１２，５２２，５３２  蓋部材
５４０，５５０，５６０  配管
【図１】
2015021542.tif 000003
【図２】
2015021542.tif 000004
【図３】
2015021542.tif 000005
【図４】
2015021542.tif 000006
【図５】
2015021542.tif 000007
【図６】
2015021542.tif 000008
【図７】
2015021542.tif 000009
【図８】
2015021542.tif 000010